(57)【特許請求の範囲】
【請求項１】
橋梁の主桁に沿って配設する梁材と、この梁材を支持し下端に移動用部材を装着する複数本の脚体と、前記梁材に取り付けられる揚重部材とを備え主桁上の旧床版を撤去もしくは主桁上に新床版を据え付けるための床版架設装置において、前記脚体は、前記梁材に直交して載置し梁材軸方向に対し移動可能な筒体と、この筒体内を移動自在に挿通する水平材と、この水平材の端部より垂下し伸縮可能な脚本体からなる逆Ｌ字型脚を左右一対で少なくとも二組備え、前記揚重部材は、前記梁材に沿って移動自在なホイストであることを特徴とする床版架設装置。
【請求項２】
トンネル内の壁軸方向に沿って配設する梁材と、この梁材を支持し下端に移動用部材を装着する複数本の脚体と、前記梁材に取り付けられる揚重部材とを備えトンネル内にある壁上の旧床版を撤去もしくはトンネル内にある壁上に新床版を据え付けるための床版架設装置において、前記脚体は、前記梁材に直交して載置し梁材軸方向に対し移動可能な筒体と、この筒体内を移動自在に挿通する水平材と、この水平材の端部より垂下し伸縮可能な脚本体からなる逆Ｌ字型脚を左右一対で少なくとも二組備え、前記揚重部材は、前記梁材に沿って移動自在なホイストであることを特徴とする床版架設装置。
【発明の詳細な説明】
【０００１】
【発明の属する技術分野】
この発明は、橋梁の主桁上に架設されたコンクリート製の旧床版を撤去して新床版を据え付けたり、あるいは新設の橋梁において床版を架設するための床版架設装置に関するものである。又、トンネル内の壁上に架設されたコンクリート製の旧床版を撤去して新床版を据え付けたり、あるいは新設のトンネル内において壁上の床版を架設するための床版架設装置に関するものである。
【０００２】
【従来の技術】
構築後多年経過した鋼橋等のコンクリート製床版は、その老朽化に伴って旧床版の撤去及び新床版の据付工事を行なう必要がある。旧床版としては主桁に支持される鉄筋コンクリート製の床版が多いため、撤去に際してはこれを所定の大きさに切断して搬出しなければならない。
【０００３】
ところが、天井が制限されるトラス橋やトンネル内では床版搬出・搬入用のクレーン車を取替箇所近傍まで進入させることが困難な場合もあり、橋梁の下部に大型重機等を設置する工法を採用すると工期が長くなり工費も上昇するという問題点があった。
【０００４】
このため主桁上にクレーン車が進入できない橋梁においても、容易に桁上の旧床版を撤去して、その後新床版を据え付けることができ、しかも橋梁の架設場所にかかわりなくどのような場所においても使用することができるような床版架設装置が要望されており、例えば特許文献１に記載される床版取替装置が提案されていた。
【０００５】
【特許文献１】
実公平３−６６４８号公報
【０００６】
この従来の床版取替装置は図６に示すように、主桁１０１方向に配設してチェーンブロック１０２を備える梁材１０３と、この梁材３を支持して下端に車輪１０４を装着する複数本の脚体１０５を有する台車１０６であって床版１０７上を移動可能としていた。
【０００７】
これらの脚体１０５は梁１０３の一端に設ける駆動輪支持脚１０５ａと、他端に設ける第１走行輪支持脚１０５ｂと、これらの中間に配する第２走行輪支持脚１０５ｃを有し、各脚体１０５の間隔は少なくとも分割された１枚の床版１０７ａを跨ぎ得るよう配置されていた。又台車１０６にはクレーン車１０８によって吊り上げるための吊り上げ用支持材１０９が設けられており、図示しないトレーラー等の運搬車輌への積み込み及び積み降ろし作業にはこの吊り下げ用支持部材１０９にワイヤー１１０を掛けて行なっていた。
【０００８】
各車輪１０４は各脚体１０５の左右にひとつずつ配する６輪構造となっており、平板な枠状の台車１０６を２台、切断した床版１０７ａの幅方向の適切な位置に平行に配して吊り上げ作業等を行なっていた。なお駆動輪支持脚１０５ａの下部には図示しない駆動装置を載置するプラットフォーム１１１が設けられており、この駆動装置を作動する操作盤１１２によって２台の台車１０６が連動して動くように構成されていた。
【０００９】
主桁１０１上の旧床版１０７を取り替えるには、先ず取り替えるべき分割された旧床版１０７ａの上にチェーンブロック１０２が位置するよう、２台の台車１０６を夫々平行に移動させておき、旧床版１０７ａをチェーンブロック１０２によって吊り上げたならば、台車１０６をクレーン１０８に向けて移動させる。この時、旧床版１０７ａを撤去したところは隙間が生じ該当する直上の脚体１０５は宙に浮くことになるが、他の２本の脚体例えば駆動輪支持脚１０５ａと第１走行輪支持脚１０５ｂにより、あるいは駆動輪支持脚１０５ａと第２走行輪支持脚１０５ｃにより支持することができるため、空隙箇所があっても台車１０６の移動には支障がない構造となっていた。
【００１０】
クレーン１０８近くまで移動させたならば、旧床版１０７ａを吊り降ろした後、今度は図示しない新床版の吊り上げを各台車１０６が行なう。なお、従来の床版取替装置では図示しないトレーラー等運搬車輌への各床版の積み込み及び積み降ろし作業にもクレーン１０８を用いていた。
【００１１】
新床版を吊り上げた台車１０６を旧床版１０７ａの撤去箇所に移動し、これを据え付けて１枚の床版の取替工事が終わるものであり、このような床版取替装置は、旧床版の撤去が容易で、かつ吊り下げたままクレーン近くまで運ぶことができ、又新床版も運搬据付できるので、クレーンが進入できないような橋梁であっても容易に床版取替工事ができるという利点を有するものであった。
【００１２】
【発明が解決しようとする課題】
しかし、従来の床版取替装置は、その枠組が固定的で主に運搬専用であったため、旧床版のトレーラー等運搬車輌への積み込み作業あるいは新床版の運搬車輌からの積み降ろし作業には別途クレーンが必要であり、台車自体の搬入・搬出にあってもクレーンが必須であった。
【００１３】
この発明は、従来の床版架設装置が有する問題点を解消すべくなされたものであり、床版の運搬車輌への積み込み積み降ろし作業にクレーンを必要とせず、自身の搬入・搬出にあってもクレーンを必要としない床版架設装置を提供することを目的としている。
【００１４】
【課題を解決するための手段】
上記課題を解決するため、この発明の床版架設装置は、橋梁の主桁に沿って配設する梁材と、この梁材を支持し下端に移動用部材を装着する複数本の脚体と、前記梁材に取り付けられる揚重部材とを備え主桁上の旧床版を撤去もしくは主桁上に新床版を据え付けるための床版架設装置において、前記脚体は、前記梁材に直交して載置し梁材軸方向に対し移動可能な筒体と、この筒体内を移動自在に挿通する水平材と、この水平材の端部より垂下し伸縮可能な脚本体からなる逆Ｌ字型脚を左右一対で少なくとも二組備え、前記揚重部材は、前記梁材に沿って移動自在なホイストであることを特徴とするものである。
【００１５】
左右一対の逆Ｌ字型脚は、水平材を対称に移動し、かつ脚本体を同方向に伸縮することで形成する門型の大きさを変化させることができる。又これら逆Ｌ字型脚を保持する筒体には、例えば梁材上を走行するためのローラー及び梁材の適宜位置で筒体を固定するためのボルトを夫々筒体の外部に装着して、二組の逆Ｌ字型脚の間隔を自在に変化させる。
【００１６】
床版を昇降する際には、門型の大きさを最大にし、両者の間隔も吊荷の長さに合せて固定する。この時内部にトレーラー等が進入可能な大きさとすれば、その荷台に直接積み降ろすことが可能であり、又新床版の際にも同様に直接吊り上げることが可能となる。
【００１７】
一方床版架設装置自体をトレーラー等の荷台に積載する場合には、先ず門型の大きさを最大にして内部にトレーラーの荷台を進入させる。この時荷台には梁受用の架台を設置しておく。次に脚本体を縮めて梁材を降下しこの架台に支持固定する。筒体のローラー及びボルトを利用して、脚体を荷台上の適切な位置まで移動し固定した後、脚本体の下端を荷台より上に位置するよう調整し、更に水平材を押し込んで門型を最小の大きさまで縮めれば荷台への積み込みが完了する。なお逆の工程により積み降ろしも可能である。
【００１８】
請求項２記載の床版架設装置は、トンネル内の壁軸方向に沿って配設する梁材と、この梁材を支持し下端に移動用部材を装着する複数本の脚体と、前記梁材に取り付けられる揚重部材とを備えトンネル内にある壁上の旧床版を撤去もしくはトンネル内にある壁上に新床版を据え付けるための床版架設装置において、前記脚体は、前記梁材に直交して載置し梁材軸方向に対し移動可能な筒体と、この筒体内を移動自在に挿通する水平材と、この水平材の端部より垂下し伸縮可能な脚本体からなる逆Ｌ字型脚を左右一対で少なくとも二組備え、前記揚重部材は、前記梁材に沿って移動自在なホイストであることを特徴とするものである。
この床版架設装置は旧床版の取替工のみならず、新設の橋梁やトンネルでの新床版を敷設する際にも利用できる。これらの場合には梁材に跳出部が存在するよう脚体の位置を設定し、荷台より吊り上げた新床版をホイストにより跳出部まで移動し、所定の箇所に降下してセットする。
【００１９】
【発明の実施の形態】
次にこの発明の実施の形態を添付図面に基づき詳細に説明する。図１は床版取替工を行なう床版架設装置の側面図、図２は図１のＡ方向矢視図である。床版架設装置１は、主桁２方向に配設する梁材３と、この梁材３を支持する２組の脚体４，４からなる。この脚体４は下端に車輪５を備え床版６上に敷設するレール７に沿って移動可能であり、図示しないロック機構によって所定位置に停止することができる。なお、車輪５の代わりにローラー、タイヤ、チルタンク等各種の移動手段を適用することもできる。
【００２０】
梁材３は図２に示すように２本の縦桁３ａ，３ａを横桁３ｂで連結し、これにホイスト８の走行桁３ｃを固定する。脚体４は、逆Ｌ字型の部材を左右対称に配置して全体として門型を形成するもので、各逆Ｌ字型の部材は、２本の縦桁３ａ，３ａに架け渡すスライドガイド９と、これを挿通するスライドアーム１０及びその端部より垂下する脚本体１１からなる。
【００２１】
スライドガイド９は左右２本のスライドアーム１０，１０を夫々移動自在に収納する筒体であって、外部に縦桁３ａ上を走行するためのローラー９ａ、縦桁３ａの適宜位置で固定するためのボルト９ｂを装着して、二組の脚体４，４の間隔を自在に変化し得る。
【００２２】
脚本体１１は、筒状の脚ガイド１１ａと、これに伸縮自在に収納される伸縮脚１１ｂと、その下端に取外し可能に装着する移動脚１１ｃからなり、移動脚１１ｃに車輪５を内蔵する。このような構成から脚体４はスライドアーム１０，１０を対称に移動し、かつ脚本体１１を同一方向に伸縮することで形成する門型の大きさを変化させることができる。
【００２３】
図１及び図２は主桁２上の旧床版６ａを撤去した後、トレーラの荷台１２から新床版６ｂを吊り上げて、撤去された箇所に据え付ける状況を示しており、床版架設装置１は内部に荷台１２が進入し得るよう門型の大きさを最大とし、脚体４は荷台１２の周辺に位置する。なお当作業を行なう際は、梁材３を跳ね出した状態で使用するが、その跳出長さは梁材３の前方が撤去すべき旧床版６ａ上にあって、かつ吊荷の方向転換に十分な空間があるよう後方の脚体４の位置を設定する。又トレーラは旧床版６ａを搬出するものと、新床版６ｂを搬入するものとでその都度入れ替えを行なう。
【００２４】
旧床版６ａは鉄筋コンクリート製床版が多いため、撤去時にはコンクリートカッター等で所定の大きさに分割し、主桁２のフランジとの接続をコンクリートブレーカやコアカッターあるいは膨張材注入による静的破壊によって解放してから、ジャッキにより軽く押し上げて分離を確認し、これに床版吊具８ａを取り付けてホイスト８により吊り上げる。床版取替工は一箇所ずつ新床版６ｂに置き換え、レール７を盛り替えながら実施するが、同様な作業工程で新橋における床版敷設も可能である。
【００２５】
この床版架設装置はクレーン等を用いずに荷台に積み込んだり、あるいは荷台から降ろしたりすることもできる。この手順を図３乃至図５に基き説明する。ここで図３は荷台進入時の側面図、図４は荷台積載時の側面図、図５は荷台積載時の正面図である。床版架設装置１を荷台１２に積み込む際には、先ず脚体４の門型の大きさを最大にして梁受用の架台１２ａを設置する荷台１２をその内部に進入させる（図３）。次に伸縮脚１１ｂを脚ガイド１１ａ内に収納して脚本体１１を縮め、梁材３を降下し架台１２ａに支持固定する。
【００２６】
床版架設装置１の荷重を架台１２ａに預けた後、移動脚１１ｃを取外し、更に脚本体１１の下端が荷台１２より上に位置するよう伸縮脚１１ｂを縮める。その後スライドガイド９のローラー９ａ及びボルト９ｂを利用して、脚体４を荷台１２上の適切な位置まで移動し固定する（図４)。その後スライドアーム１０をスライドガイド９内に押し込んで脚体４の門型を最小の大きさまで縮めれば荷台１２への積み込みが完了する（図５)。なお逆の工程により積み降ろしも可能である。
【００２７】
なお、移動脚１１ｃに代えて自走式の台車を用いる場合には各台車が連動するよう制御装置を備えると共に発電機も搭載する。又脚本体１１は脚部油圧自動調整装置により反力バランスをとる構造が望ましい。
【００２８】
【発明の効果】
以上説明したように、この発明の床版架設装置は、脚体が形成する門型の大きさを変化し得ると共に二組の脚体の間隔をも自在に変化させることができるので、門型の内部にトレーラー等が進入可能であり、その荷台に直接床版を積み降ろすことができる。又内部に梁受用架台を設置する荷台を進入させれば門型を最小にして荷台への積み込みもできる。従って床版の運搬車輌への積み込み積み降ろし作業にクレーンを必要とせず、自身の搬入・搬出にあってもクレーンを必要としない。
【図面の簡単な説明】
【図１】床版取替工を行なう床版架設装置の側面図である。
【図２】図１のＡ方向矢視図である。
【図３】荷台進入時の床版架設装置の側面図である。
【図４】荷台積載時の床版架設装置の側面図である。
【図５】荷台積載時の床版架設装置の正面図である。
【図６】従来の床版取替装置の側面図である。
【符号の説明】
１  床版架設装置
２  主桁
３  梁材
４  脚体
５  車輪
６  床版
９  スライドガイド
１０  スライドアーム
１１  脚本体
１２  荷台
【図１】
0003721166.tif 000002
【図２】
0003721166.tif 000003
【図３】
0003721166.tif 000004
【図４】
0003721166.tif 000005
【図５】
0003721166.tif 000006
【図６】
0003721166.tif 000007